【事件の表示】
　上記当事者間の登録第４８５３０７７号商標の商標登録無効審判事件について、次のとおり審決する。
【結　論】
　登録第４８５３０７７号の指定商品中、第１類「化学品，無機酸類，アルカリ類，無機塩類，酸化物，硫化物，炭化物，水，空気，芳香族，脂肪族，有機ハロゲン化物，アルコール類，フェノール類，エーテル類，アルデヒド類及びケトン類，有機酸及びその塩類，エステル類，窒素化合物，異節環状化合物，炭水化物，アラビヤゴム，クレオソート，しょうのう，しょうのう油，はっかのう，はっか油，ボルネオール，たんぱく質及び酵素，有機りん化合物及び有機ひ素化合物，有機金属化合物，界面活性剤，化学剤」についての登録を無効とする。
　審判費用は、被請求人の負担とする。
【理　由】
第１　本件商標
　本件登録第４８５３０７７号商標（以下「本件商標」という。）は、「ＰＩＳＥＴ」の文字を標準文字で表してなり、平成１６年７月１日に登録出願され、第１類「化学品，無機酸類，アルカリ類，無機塩類，酸化物，硫化物，炭化物，水，空気，芳香族，脂肪族，有機ハロゲン化物，アルコール類，フェノール類，エーテル類，アルデヒド類及びケトン類，有機酸及びその塩類，エステル類，窒素化合物，異節環状化合物，炭水化物，アラビヤゴム，クレオソート，しょうのう，しょうのう油，はっかのう，はっか油，ボルネオール，たんぱく質及び酵素，有機りん化合物及び有機ひ素化合物，有機金属化合物，界面活性剤，化学剤，のり及び接着剤（事務用又は家庭用のものを除く。）」及び第７類「金属加工機械器具，金属工作機械器具，金属一次製品製造機械器具，金属二次製品加工機械器具，ガス溶接機，酸素アセチレン溶接切断機，電気溶接機，動力付き手持工具，切削工具，超硬工具，ダイヤモンド工具，金属用金型，鉱山機械器具，土木機械器具，掘削機械，基礎工事機械，整地機械，コンクリート機械，アスファルト舗装機械，しゅんせつ機械，荷役機械器具，化学機械器具」を指定商品として、平成１７年４月１日に設定登録されたものである。
　
第２　引用商標
１　登録第６２０４４５号の２商標（以下「引用商標１」という。）
　引用商標１は、「ハイセット」の片仮名文字及び「ＨＩＳＥＴ」のローマ字を、角ゴシック書体をもって、上下二段に、それぞれ左横書きしてなり、第１類「化学品（他の類に属するものを除く）薬剤、医療補助品」を指定商品として、昭和３８年７月１１日に設定の登録がなされ、その後、４回に亘り商標権の存続期間の更新登録がなされ、平成１６年７月１４日に、指定商品の書換登録がなされ、平成１９年７月３０日に、第１類「化学品」、第２類「カナダバルサム，壁紙剥離剤，コパール，サンダラック，セラック，松根油，ダンマール，媒染剤，マスチック，松脂，木材保存剤」、第３類「家庭用帯電防止剤，家庭用脱脂剤，さび除去剤，染み抜きベンジン，洗濯用柔軟剤，洗濯用漂白剤」、第４類「固形潤滑剤」、第１９類「タール類及びピッチ類」、第３０類「アイスクリーム用凝固剤，家庭用食肉軟化剤，ホイップクリーム用安定剤」を指定商品とする商標権（登録第６２０４４５号の２）に分割され、現に有効に存続しているものである。
　　
２　登録第１８０５４０５号の２商標（以下「引用商標２」という。）
　引用商標２は、「ハイセット」の片仮名文字を、角ゴシック書体をもって、一連に左横書きしてなり、第１類「化学品（他の類に属するものを除く）薬剤、医療補助品」を指定商品として、昭和６０年９月２７日に設定の登録がなされ、その後、２回に亘り商標権の存続期間の更新登録がなされ、平成１７年１１月２４日に、指定商品の書換登録がなされ、平成１９年７月３０日に、第１類「化学品」、第２類「カナダバルサム，壁紙剥離剤，コパール，サンダラック，セラック，松根油，ダンマール，媒染剤，マスチック，松脂，木材保存剤」、第３類「家庭用帯電防止剤，家庭用脱脂剤，さび除去剤，染み抜きベンジン，洗濯用柔軟剤，洗濯用漂白剤」、第４類「固形潤滑剤」、第１９類「タール類及びピッチ類」、第３０類「アイスクリーム用凝固剤，家庭用食肉軟化剤，ホイップクリーム用安定剤」を指定商品とする商標権（登録第１８０５４０５号の２）に分割され、現に有効に存続しているものである。
　　
３　登録第３２５３２１８号商標（以下「引用商標３」という。）
　引用商標３は、「ハイセット」の片仮名文字及び「ＨＩＳＥＴ」のローマ字を、角ゴシック書体をもって、上下二段に、それぞれ左横書きしてなり、第１類「化学品」を指定商品として、平成９年１月３１日に設定の登録がなされ、その後、平成１８年９月２６日に、商標権の存続期間の更新登録がなされ、現に有効に存続しているものである。
　　
第３　請求人の主張
　請求人は、結論と同旨の審決を求めると申し立て、その理由を要旨次のように述べ、証拠方法として甲第１号証ないし甲第２０号証を提出した。
１　本件商標と引用商標１、引用商標２及び引用商標３とを比較検討してみるに、本件商標は、「ＰＩＳＥＴ」のローマ字を、一連に左横書きして成るものであるが、造語より成るローマ字の商標は、我国の英語の普及度からみて、一般世人をして、これが英語風に発音されて、商取引に資されているというのが、現状である。
　そのような観点から、本件商標をみるとき、我国において外来語としても知られている、英語の「ｐｉｐｅ」（パイプ）、「ｐｉｌｏｔ」（パイロット）、「ｐｉｏｎｅｅｒ」（パイオニア）、「ｐｉｅ」（パイ）、「ｐｉｌｅ」（パイル）及び「ｐｉｎｅａｐｐｌｅ」（パイナップル）等と、「ｐｉ」の部分が、「パイ」（ｐａｉ）と発音されている事実に徴しても、本件商標からは「パイセット」の称呼を生ずるものであるというを相当とするところである。
　一方、各引用商標からは、その構成に徴し、「ハイセット」の称呼を生ずるものであること明らかなところである。
　　
２　そうであるとするならば、本件商標より生ずる「パイセット」の称呼と引用商標１、引用商標２及び引用商標３より生ずる「ハイセット」の称呼とは、共に第３音「セ」に促音「ツ」を伴う、５音節構成より成るうち、第１音の「パ」音と「ハ」音を異にするのみで、その後の「イセット」の４音節を全く同一にしているところ、差異音である「パ」音と「ハ」音とても、前者が、両唇を合せて破裂させる無声子音［ｐ］と、母音［ａ］との結合した音節［ｐａ］であるのに対して、後者は、両声帯を接近させ、その間隙から出す無声摩擦音［ｈ］と、母音［ａ］との結合した音節［ｈａ］であって、その調音方法、発声仕方を同じくする、同じハ行に属する、半濁音と清音の微差にすぎないものであるから、簡易迅速を旨とする商取引の実際にあっては、これらを一連に称呼したときにおける、該差異が、両称呼に及ぼす影響は、決して大きいものともいえず、両者の語調、語感が相似たものとなり、これらに接する聴者をして、彼此の称呼を互いに聞き誤らせるおそれの充分にある、相紛らわしい称呼であるといわなければならないところである。
　　
３　請求人の上記主張理由の正当性を立証すべく、本件事案と同じく、第１音における「パ」音と「ハ」音の差異を有する商標の類否を争点とする、特許庁における過去の審決例を、次に挙げて、これを自己の主張理由に有利に援用することとする。
　　
（１）昭和４８年審判第９０４１号（昭和５３年１１月２１日審決）
　「ハイアップ」＝「パイアップ」（第３０類）
　【両称呼は、第１音の「ハ」と「パ」以外の音構成を同一にしており、差異音である「ハ」と「パ」は清音と半濁音の差異にすぎないから、両者を全体として一連に称呼するときは、その語韻語調相近似し、互いに聞き誤るおそれのあるものと判断するのが相当である。】
　　
（２）昭和５５年審判第７０３１号（昭和５６年１０月６日審決）
　「パイラック」＝「ハイラック／ＨＩＧＨＬＡＣ」（第１１類）
　【両者は共に促音を含んでの４音の構成音数よりなり、かつ、第２音より末尾音までの配列構成音を全く同一にするものであり、異なるところは第１音が前者は「パ」音、後者は「ハ」音であるところに差異を有するのみのものと認められるところである。
　しかして、「ハ」（ｈａ）音と「パ」（ｐａ）音についてみると、「ハ」音は、その子音（ｈ）部分の発音が母音（ａ）を発音する口構えを作るに先立ち、舌の上面の奥の部分と上あごの一番奥の部分とをせばめて発する摩擦音といわれている該子音と母音「ａ」との複合した音といわれているものに対し、「パ」音は、その子音（ｐ）部分の発音が上下のくちびるを閉じて発する無声の破裂音といわれている該子音と母音「ａ」との複合した音といわれているものであるから、その子音部分の発音が異なるこれらの各音を、その１音のみに限って正確に発音する場合には聞き分け得られないこともないではないところの若干異なる音質のものといえないこともないではない清音と半濁音であるけれども、しかしながら、迅速を旨とする取引の草草の間にあって、これら語頭音を含めて末尾音までを一括し連続して一連に称呼する場合には語頭音と雖も清音と半濁音という微差音に過ぎないこれら各音が全体の称呼に及ぼす影響がさほど大きいものともいえず、そうとすれば、前者と後者とは、その全体の称呼において彼此混淆する程度に紛れるおそれのある類似のものといわなければならない。】
　　
（３）昭和５３年審判第９４６５号（昭和５４年１０月８日審決）
　「ぱいぱー」＝「ＨＹＰＥＲ」（第２１類）
　【両者は共に長音を含む３音からなるうち、第２音以下の「イ」と、長音を伴う「パー」の各音を共通にし、第１音において「パ」と「ハ」の差異を有するにすぎないものである。しかして、該「パ」と「ハ」の音は、その差異が半濁音と清音の差にすぎないものであって近似音であるといえるものであるから、この差異が両称呼の全体に及ぼす影響は決して大きいとはいえないものである。したがって、両称呼は、それぞれ一連に称呼するときは、その全体の語調、語感が近似したものとなって彼此聴き誤られるおそれのあるものと判断するのが相当である。】
　　
（４）昭和５７年審判第１４５１４号（平成２年３月２９日審決）
　「ＰＡＲＴＥＫ」＝「ハルテック」（第７類）
　【本願商標の構成は「ＰＡＲＴＥＫ」の文字よりなるところ、該文字は特定の意味合いを有しない造語と認められるものであり、更に、構成中後半部の「ＴＥＫ」の綴り字は英語綴りとしては少なく、独語風綴りとみれることから、これに接する需要者は全体を独語読みに「Ｒ」を「ル」と発音して「パルテック」と称呼する場合も決して少なくないものとみるのが相当である。
　両者は語頭において「パ」と「ハ」の差異を有し、他の「ル」「テッ」「ク」の各音を共通配列するものであるところ、上記差異音「パ」と「ハ」は、その調音方法において両唇破裂音と咽腔音との差が認められるとしても共に「ハ」行に類する音であるばかりでなく、母音ａを共通にすることから互いに近似するものであって、たとえ、称呼の識別上重要な要素を占める語頭に位置する音であるとしても、他の音を共通にし、また、上記差しか認められない両商標を一連に称呼するとき、その差が全体の称呼に及ぼす影響は極めて少なく、両商標は称呼上紛れるおそれのある商標というべきである。】
　　
（５）昭和５１年審判第１４０９号（昭和５３年２月１０日審決）
　「オノダハロン」＝「ＰＡＬＯＮ」（第１類）
　【両称呼は、ともに３音より成るものであって、３音中「ロン」の２音を共通にし、語頭において「ハ」と「パ」の差異を有するのみである。しかして、この異なる音にしても母音（ａ）を同じくする清音と半濁音の微差にすぎないから、両称呼は、夫々を一連に称呼するときは語韻語調が極めて近似し、称呼上彼此相紛れるおそれが充分にある程度のものと認めざるを得ない。】
　　
（６）昭和４２年審判第３３４号（昭和４３年１０月５日審決）
　「ハリス／ＨＡＲＩＳ」＝「パリス／ＰＡＲＩＳ」（第２６類）
　【両者は３文字中その語頭において「ハ」と「パ」の清音と半濁音との微差にすぎず、これをそれぞれ一連に称呼するときは、その語韻語調きわめて相紛らわしく、取引上商品の出所について混淆を生ずるおそれあることが充分に認められる。してみれば、ことさらに、観念上の類否を論ずるまでもなく、両商標は称呼上類似するものと認める。】
　　
（７）昭和４１年審判第３１１２号（昭和４３年３月８日審決）
　「はんみー／ハンミー」＝「パンミ／ＰＡＮＭＩ」（第３２類）
　【共に３音から成るが、第２音を共通にし、第１音において前者は清音「ハ」、後者はその半濁音「パ」の微差を、又第３音において前者は長音「ミー」後者は短音「ミ」の微差を有するにすぎないものである。
　一般に一つの語辞が其の文字どおり常に、何人にも正確に発音されるものとは保し難いものであり、後者の第３音「ミ（ＭＩ）」は常に「ミ」の短音においてのみ発音せられるものではなく、語尾にある関係からも訛って「ミー」と伸長されて発音されることのあるのが取引における実験則であることに鑑みれば、両商標をそれぞれ一連に称呼するときは、全体としての語音語調が頗る相紛らわしく、又両商標は、ともに通常意味の不明瞭な造語と推認しうるものであるから、その称呼から受ける相互の印象における差異は必しも明確ではない。したがって両者は互に誤認混同のおそれある称呼上類似のものと認めざるをえない。】
　　
（８）昭和４９年審判第１０５５５号（昭和５２年８月２３日審決）
　「ＰＡＰＩＬＬＯＮ」＝「ハピロン」（第２０類）
　【両者は共に４音構成よりなり、いずれもその構成において、それぞれ母音「ａ」を共通にする半濁音と清音の相違にすぎない比較的近似音を第１音とし、第２音以下の「ピロン」の音を全く同一にすることよりすれば、両者をそれぞれ全体として称呼するときは、その語韻語調相似たものとなり、取引上相紛らわしい類似の商標といわざるを得ない。】
　　
（９）昭和５５年審判第１４３１号（昭和５６年７月２０日審決）
　「ハーティー」＝「パーティ」（第３３類）
　【両者は共に同数の音から構成され、語頭音以外の各音を同じくし、かつ語頭音に長音を伴う点において共通し、異なる語頭音の清音「ハ」と半濁音「パ」とは、誤聴を生ずる可能性の多い相似た音である関係にあるところであるから、これらを一連に称呼するときは、第１音以下がいずれも長音を伴う共通音であることと相俟って全体の語韻、語調が極めて近似するものとなり、草々の間においては彼此聴き誤まられるおそれのある程度のものと判断するのが相当である。】
　　
（１０）平成１０年審判第１６４６３号（平成１２年６月２１日審決）
　「ＨＡＲＢＡＬ」＝「ＰＥＲＢＵＬ／パーバル」（第５類）
　【両称呼は、語頭音において「ハ」と「パ」の清音と半濁音の差異を有するほか、他の構成音をすべて共通にするものである。
　しかして、「ハ」（ｈａ）音と「パ」（ｐａ）音についてみると、「ハ」音は、両唇を接近させて、その隙間から発する無声摩擦音（ｈ）と母音（ａ）の結合した音であるのに対し、「パ」音は、両唇の閉鎖による無声破裂音（ｐ）と母音（ａ）との結合した音といわれているものであり、その子音部分の発音が異なる清音と半濁音の微差にすぎないから、両称呼をそれぞれ一連に称呼するときは、全体の語調語感が近似し、称呼上相紛れるおそれのある類似の商標と判断するのが相当である。】
　　
（１１）無効２００２−３５２４９号（平成１５年１月８日審決）
　「ＨＡＶＥＲＯＮ」＝「パブロン　ネオ」（第５類）
　【語頭音において清音と半濁音の差異はあるが、他の構成音をすべて同じくするため、それぞれを一連に称呼すると互いに紛れて聴取されるおそれがあると認められる。
　そうすると、本件商標と引用商標は、その外観などの差異を考慮しても、称呼において紛らわしい類似する商標というべきである。】
　　
（１２）昭和４６年審判第５９００号（昭和４８年１０月１８日審決）
　「ハトライト」＝「ＰＡＴＯＬＩＧＨＴ／パトライト」（第１１類）
　【両者は単に語頭において共に母音「ア」を伴う清音「ハ」と半濁音「パ」の微差のみにすぎないから、両者をそれぞれ全体として一連に称呼した場合においては、語韻語調互いに本田粉わしい類似の商標と認めざるをえない。】
　　
４　してみれば、本件商標は、引用商標１、引用商標２及び引用商標３と呼称において、彼此聞き誤らせるおそれの充分にある、称呼上類似する商標であり、かつ、本件商標の請求の趣旨に表示した商品は、特許庁の類似商品審査基準における、商品の類似群コード（０１Ａ０１）であって、引用各商標の指定商品「化学品」と同一若しくは類似の商品を包含していること明らかなものであるから、結局、本件商標は、商標法第４条第１項第１１号の規定に違反して登録されたものである。
　したがって、本件商標は、商標法第４６条第１項第１号の規定に基づいて、その登録に係る指定商品中、請求の趣旨に記載の指定商品についての登録は、無効とされるべきものである。
　　
第４　被請求人の答弁
　被請求人は、これに対して何ら答弁していない。
　　 
第５　当審の判断
　本件商標と各引用商標との類否について判断するに、本件商標は、特定の観念を生じない造語と認められるところ、これを我が国で最も親しまれている英語の如くみて、英語風に発音しても不自然な文字構成のものではなく、例えば、「ｐｉｓｔｏｌ」の文字が「ピストル」と発音され、「ｐｉｓｔｏｎ」の文字が「ピストン」と発音される例に倣い、全体として、「ピセット」の称呼を生ずるというのが相当である。
　また、英語の「ｐｉｐｅ」の文字が「パイプ」と発音され、「ｐｉｌｏｔ」の文字が「パイロット」と発音され、「ｐｉｏｎｅｅｒ」の文字が「パイオニア」と発音され、「ｐｉｅ」の文字が「パイ」と発音され、「ｐｉｌｅ」の文字が「パイル」と発音され、「ｐｉｎｅａｐｐｌｅ」の文字が「パイナップル」と発音されることから、本件商標は、全体として、「パイセット」の称呼をも生ずるというのが相当である。
　一方、引用商標１及び引用商標３は、「ハイセット」の片仮名文字及び「ＨＩＳＥＴ」の欧文字を、上下二段に書してなるところ、片仮名文字は、欧文字の称呼を特定したものと認められるから、該文字に相応して「ハイセット」の称呼を生ずるものとみるのが自然である。また、引用商標２は、「ハイセット」の片仮名文字を書してなるから、「ハイセット」の称呼を生ずること明らかである。
　また、各引用商標は、特定の観念を生じない造語と認められる。
　しかして、本件商標から生ずる「ピセット」の称呼と各引用商標から生ずる「ハイセット」の称呼を比較するに、両者はその構成音数を異にし、「ピ」の音と「ハイ」の音に明らかな差異を有するから、称呼において紛れる虞がないものといわなければならない。
　次に、「パイセット」の称呼と「ハイセット」の称呼を比較するに、両者は、共に促音を伴った同数音からなり、第２音以下の「イセット」の音及び配列を同じくし、異なるところは、第１音における「パ」と「ハ」の音の差異にすぎないものである。しかも、該差異音の「パ」と「ハ」の音は、前者が、両唇を合せて破裂させる無声子音［ｐ］と、母音［ａ］との結合した音節［ｐａ］であるのに対して、後者は、両声帯を接近させ、その間隙から出す無声摩擦音［ｈ］と、母音［ａ］との結合した音節［ｈａ］であって、その調音方法、発声方法が近似する「ハ」の音の半濁音と清音の差異にすぎないものである。
　そして、本件商標から生ずる「パイセット」の称呼と各引用商標から生ずる「ハイセット」の称呼とは、共に後半の「セッ」の音にアクセントがかかり、第１音にはアクセントがかからないのが自然であるから、「パ」と「ハ」の音の差異は、たとえそれが語頭に位置するものであるとしても、両商標が特定の語義、観念を有しない造語と認められることと相まって、称呼全体に及ぼす影響はわずかなものであって、両称呼をそれぞれ一連に称呼するときは、全体の音感音調が極めて近似し、相紛らわしいものとみるのが相当である。
　してみれば、本件商標と各引用商標とは、外観において相違し、観念において比較できない点を考慮しても、称呼において類似する商標といわなければならない。
　また、本件商標の指定商品中、第１類「化学品，無機酸類，アルカリ類，無機塩類，酸化物，硫化物，炭化物，水，空気，芳香族，脂肪族，有機ハロゲン化物，アルコール類，フェノール類，エーテル類，アルデヒド類及びケトン類，有機酸及びその塩類，エステル類，窒素化合物，異節環状化合物，炭水化物，アラビヤゴム，クレオソート，しょうのう，しょうのう油，はっかのう，はっか油，ボルネオール，たんぱく質及び酵素，有機りん化合物及び有機ひ素化合物，有機金属化合物，界面活性剤，化学剤」は、各引用商標の指定商品と同一又は類似のものである。
　したがって、本件商標の指定商品中、第１類「化学品，無機酸類，アルカリ類，無機塩類，酸化物，硫化物，炭化物，水，空気，芳香族，脂肪族，有機ハロゲン化物，アルコール類，フェノール類，エーテル類，アルデヒド類及びケトン類，有機酸及びその塩類，エステル類，窒素化合物，異節環状化合物，炭水化物，アラビヤゴム，クレオソート，しょうのう，しょうのう油，はっかのう，はっか油，ボルネオール，たんぱく質及び酵素，有機りん化合物及び有機ひ素化合物，有機金属化合物，界面活性剤，化学剤」についての登録は、商標法第４条第１項第１１号に違反してなされたものであるから、同法第４６条第１項第１号により無効とすべきである。
　よって、結論のとおり審決する。